(57)【要約】【課題】  所持するＩＤカードの数を増やす必要がなく、１つの携帯端末を用いることで、複数のＩＤカードの、それぞれのＩＤカードによる認証の全てに対応できる認証方法および認証システムを提供する。【解決手段】  各ＩＤカードの券面のイメージを、それぞれ、前記携帯端末機器に搭載された表示部に表示し、該表示部に表示された表示イメージを用いて認証することによって、前記表示イメージに対応するＩＤカードの券面のイメージによる認証に代えるもので、順に、前記の各ＩＤカードの券面のイメージのデータである各イメージデータを、全て、前記携帯端末機器のイメージデータ記憶手段に格納した状態としておく第１のステップと、前記イメージデータ記憶手段に格納されているイメージデータの中で、所望のものを選択して表示させる第２のステップと、表示させたイメージにより認証する第３のステップとを行う。【選択図】  図１
2005266870.tif 000002
【特許請求の範囲】
【請求項１】
目視や光学的読み取りにより外観識別を行うタイプの、可視情報を有する所定の複数のＩＤカード、各々の、券面のイメージによる認証を、表示部を搭載した１つの携帯端末機器にて行う認証方法であって、前記各ＩＤカードの券面のイメージを、それぞれ、前記携帯端末機器に搭載された表示部に表示し、該表示部に表示された表示イメージを用いて認証することによって、前記表示イメージに対応するＩＤカードの券面のイメージによる認証に代えるもので、順に、前記の各ＩＤカードの券面のイメージのデータである各イメージデータを、全て、前記携帯端末機器のイメージデータ記憶手段に格納した状態としておく第１のステップと、前記イメージデータ記憶手段に格納されているイメージデータの中で、所望のものを選択して表示させる第２のステップと、表示させたイメージにより認証する第３のステップとを行うことを特徴とする認証方法。
【請求項２】
請求項１に記載の認証方法であって、第１のステップは、複数のＩＤカードの券面のイメージデータを、外部から無線の通信手段により送信して、所定の記憶手段に格納して、これをイメージデータ記憶手段とする、あるいは、前記ＩＤカードの券面のイメージデータを内蔵した記憶手段を有する半導体チップ自体を搭載し、前記イメージデータを内蔵した記憶手段をイメージデータ記憶手段とするものであることを特徴とする認証方法。
【請求項３】
請求項１ないし２のいずれか１に記載の認証方法であって、第３のステップは、表示されたイメージを目視により検証する目視認証、あるいは、光学的イメージ読み取り装置にて前記表示されたイメージを読み取り、基本となる正規のイメージデータと比較検証する装置認証、あるいは前記両方の認証を行い、これを以って、前記表示されたイメージに対応するＩＤカードの券面による認証に代えるものであることを特徴とする認証方法。
【請求項４】
目視や光学的読み取りにより外観識別を行うタイプの、可視情報を有する所定の複数のＩＤカード、各々の、券面のイメージによる認証を、表示部を搭載した１つの携帯端末機器にて行う認証システムで、前記携帯端末機器は、前記所定の複数のＩＤカードの券面のイメージデータを格納するイメージデータ記憶手段と、前記券面のイメージデータを用いてそのイメージを表示させるための表示部と、所望の券面のイメージデータを選択し、選択されたイメージデータを用いて表示部に表示イメージとして表示させる券面イメージ選択手段と、前記券面のイメージデータの登録、登録抹消等、イメージデータを管理するイメージデータ管理手段とを備え、該携帯端末機器の券面イメージ選択手段により、所望のＩＤカードに対応するイメージデータを選択し、メージデータ記憶手段に格納されている選択されたイメージデータを用いて、表示部に表示イメージとして表示し、表示部に表示された表示イメージを目視により検証する目視認証、あるいは、表示部に表示された表示イメージを光学的イメージ読み取り装置にて読み取り、基本となる正規のイメージデータと比較して検証する装置認証、あるいは前記両方の認証を行い、これを以って、前記表示された表示イメージに対応するＩＤカードの券面のイメージによる認証に代えるものであることを特徴とする携帯端末機器を用いた認証システム。
【請求項５】
請求項４に記載の携帯端末機器を用いた認証システムであって、光学的イメージ読み取り装置認証を行うもので、基本となる正規のイメージデータは、ネットワーク上のデータベースサーバーに保管されていることを特徴とする携帯端末機器を用いた認証システム。    
【請求項６】
請求項４ないし５のいずれか１に記載の携帯端末機器を用いた認証システムであって、ＩＤカードの券面には顔写真が搭載されており、対応する表示イメージにおける顔像と携帯端末機器の持ち主とを、目視により比較して検証する認証により、ＩＤカードの券面による認証に代えるものであることを特徴とする携帯端末機器を用いた認証システム。
【請求項７】
請求項４ないし６のいずれか１に記載の携帯端末機器を用いた認証システムであって、ＩＤカードの券面にバーコードあるいはエリアコードが搭載されてことを特徴とする携帯端末機器を用いた認証システム。
【請求項８】
請求項４ないし７のいずれか１に記載の携帯端末機器を用いた認証システムであって、ＩＤカードが、所定の場所への出入りや会員であることを管理するための入館証や会員証であることを特徴とする携帯端末機器を用いた認証システム。
【発明の詳細な説明】
【技術分野】
【０００１】
本発明は、目視や光学的読み取りにより、外観識別を行うタイプの複数の可視情報を有するＩＤカードの、それぞれのＩＤカードの券面のイメージによる認証を、表示部を搭載した１つの携帯端末機器にて行う認証方法と、携帯端末機器を用いた認証システムに関する。
【背景技術】
【０００２】
近年、情報の機密性の面からＩＣカードが次第に普及されつつ中、読み書き装置（リーダライタ）と接触せずに情報の授受を行う非接触型のＩＣカードも使用されるようなってきたが、一方では、社員証、学生証、会員証、入館証など、券面のパターン（文字やコードや写真も含む）により、目視によりその所有者が正当な所有者であるか否かを識別する（以下、これを認証とも言う）するＩＤカードもますます普及されてきている。
しかし、このようなＩＤカードは、１つの目的につき１枚必要になるため、目的が増えるほど持ち歩かなければならないカードの量が増えることとなり、これが、利用者の負担となっていた。
【特許文献１】特開平１１−１０８１号公報
【発明の開示】
【発明が解決しようとする課題】
【０００３】
上記のように、近年、券面のパターン（文字やコードも含む）により認証を行う、社員証や会員証、入館証などのＩＤカードが普及されてきたが、利用者が所持するＩＤカードの数が増え、これが利用者には負担となってきている。
本発明はこれに対応するもので、所持するＩＤカードの数を増やす必要がなく、１つの携帯端末を用いることで、複数のＩＤカードの、それぞれのＩＤカードによる認証の全てに対応できる認証方法および認証システムを提供しようとするものである。
【課題を解決するための手段】
【０００４】
本発明の認証方法は、目視や光学的読み取りにより外観識別を行うタイプの、可視情報を有する所定の複数のＩＤカード、各々の、券面のイメージによる認証を、表示部を搭載した１つの携帯端末機器にて行う認証方法であって、前記各ＩＤカードの券面のイメージを、それぞれ、前記携帯端末機器に搭載された表示部に表示し、該表示部に表示された表示イメージを用いて認証することによって、前記表示イメージに対応するＩＤカードの券面のイメージによる認証に代えるもので、順に、前記の各ＩＤカードの券面のイメージのデータである各イメージデータを、全て、前記携帯端末機器のイメージデータ記憶手段に格納した状態としておく第１のステップと、前記イメージデータ記憶手段に格納されているイメージデータの中で、所望のものを選択して表示させる第２のステップと、表示させたイメージにより認証する第３のステップとを行うことを特徴とするものである。
そして、上記の認証方法であって、第１のステップは、複数のＩＤカードの券面のイメージデータを、外部から無線の通信手段により送信して、所定の記憶手段に格納して、これをイメージデータ記憶手段とする、あるいは、前記ＩＤカードの券面のイメージデータを内蔵した記憶手段を有する半導体チップ自体を搭載し、前記イメージデータを内蔵した記憶手段をイメージデータ記憶手段とするものであることを特徴とするものである。
そしてまた、上記のいずれかの認証方法であって、第３のステップは、表示されたイメージを目視により検証する目視認証、あるいは、光学的イメージ読み取り装置にて前記表示されたイメージを読み取り、基本となる正規のイメージデータと比較検証する装置認証、あるいは前記両方の認証を行い、これを以って、前記表示されたイメージに対応するＩＤカードの券面による認証に代えるものであることを特徴とするものである。
【０００５】
本発明の携帯端末機器を用いた認証システムは、目視や光学的読み取りにより外観識別を行うタイプの、可視情報を有する所定の複数のＩＤカード、各々の、券面のイメージによる認証を、表示部を搭載した１つの携帯端末機器にて行う認証システムで、前記携帯端末機器は、前記所定の複数のＩＤカードの券面のイメージデータを格納するイメージデータ記憶手段と、前記券面のイメージデータを用いてそのイメージを表示させるための表示部と、所望の券面のイメージデータを選択し、選択されたイメージデータを用いて表示部に表示イメージとして表示させる券面イメージ選択手段と、前記券面のイメージデータの登録、登録抹消等、イメージデータを管理するイメージデータ管理手段とを備え、該携帯端末機器の券面イメージ選択手段により、所望のＩＤカードに対応するイメージデータを選択し、メージデータ記憶手段に格納されている選択されたイメージデータを用いて、表示部に表示イメージとして表示し、表示部に表示された表示イメージを目視により検証する目視認証、あるいは、表示部に表示された表示イメージを光学的イメージ読み取り装置にて読み取り、基本となる正規のイメージデータと比較して検証する装置認証、あるいは前記両方の認証を行い、これを以って、前記表示された表示イメージに対応するＩＤカードの券面のイメージによる認証に代えるものであることを特徴とするものである。
そして、上記の携帯端末機器を用いた認証システムであって、光学的イメージ読み取り装置認証を行うもので、基本となる正規のイメージデータは、ネットワーク上のデータベースサーバーに保管されていることを特徴とするものである。
そしてまた、上記のいずれかの携帯端末機器を用いた認証システムであって、ＩＤカードの券面には顔写真が搭載されており、対応する表示イメージにおける顔像と携帯端末機器の持ち主とを、目視により比較して検証する認証により、ＩＤカードの券面による認証に代えるものであることを特徴とするものである。
また。上記のいずれかの携帯端末機器を用いた認証システムであって、ＩＤカードの券面にバーコード、あるいはエリアコードが搭載されてことを特徴とするものである。
また、上記のいずれかの携帯端末機器を用いた認証システムであって、ＩＤカードが、所定の場所への出入りや会員であることを管理するための入館証や会員証であることを特徴とするものである。
【０００６】
（作用）
本発明の認証方法は、このような構成にすることにより、所持するＩＤカードの数を増やす必要がなく、１つの携帯端末を用いることで、複数のＩＤカードの、それぞれのＩＤカードによる認証の全てに対応できる認証方法の提供を可能とするものである。
具体的には、各ＩＤカードの券面のイメージを、それぞれ、前記携帯端末機器に搭載された表示部に表示し、該表示部に表示された表示イメージを用いて認証することによって、前記表示イメージに対応するＩＤカードの券面のイメージによる認証に代えるもので、順に、前記の各ＩＤカードの券面のイメージのデータである各イメージデータを、全て、前記携帯端末機器のイメージデータ記憶手段に格納した状態としておく第１のステップと、前記イメージデータ記憶手段に格納されているイメージデータの中で、所望のものを選択して表示させる第２のステップと、表示させたイメージにより認証する第３のステップとを行うことにより、これを達成している。
尚、第１のステップとしては、複数のＩＤカードの券面のイメージデータを、外部から無線の通信手段により送信して、所定の記憶手段に格納して、これをイメージデータ記憶手段とする、あるいは、前記ＩＤカードの券面のイメージデータを内蔵した記憶手段を有する半導体チップ自体を搭載し、前記イメージデータを内蔵した記憶手段をイメージデータ記憶手段とするものが挙げられる。
第３のステップとしては、表示されたイメージを目視により検証する目視認証、あるいは、光学的イメージ読み取り装置にて前記表示されたイメージを読み取り、基本となる正規のイメージデータと比較検証する装置認証、あるいは前記両方の認証を行い、これを以って、前記表示されたイメージに対応するＩＤカードの券面による認証に代えるものが挙げられる。
【０００７】
本発明の携帯端末機器を用いた認証システムは、このような構成にすることにより、所持するＩＤカードの数を増やす必要がなく、１つの携帯端末機器を用いることで、複数のＩＤカードの、それぞれのＩＤカードによる認証の全てに対応できる認証システムの提供を可能とするものである。
【発明の効果】
【０００８】
本発明は、上記のように、所持するＩＤカードの数を増やす必要がなく、１つの携帯端末機器を用いることで、複数のＩＤカードの、それぞれのＩＤカードによる認証の全てに対応できる認証方法および認証システムの提供を可能とした。
【発明を実施するための最良の形態】
【０００９】
本発明の実施の形態を図に基づいて説明する。
図１は本発明の認方法の実施の形態の第１の例の処理フローと第２の例の処理フローとを示した概略フロー図で、図２は本発明の認証方法に用いられる携帯端末機器の基本処理フロー図で、図３（ａ）は認証用の携帯端末機器の基本構成図で、図３（ｂ）は認証用の携帯端末機器の１例の表示部と、券面イメージ選択部の操作キー、決定キー等を含む外観平面図で、図４はイメージデータ管理手段における管理用のレコードの一覧表（管理表とも言う）を示した図で、図５（ａ）〜図５（ｄ）はＩＤカードの券面のイメージを示した図である。
尚、図１において、Ｓ１１〜Ｓ２３は実施の形態の第１の例の処理ステップを示し、Ｓ１１〜Ｓ１６とＳ３０〜Ｓ３２は実施の形態の第２の例の処理ステップを示している。
また、図２においてＳ４１〜Ｓ４５は処理ステップを示している。
図１〜図５中、１１０は携帯端末機器、１１１はイメージデータ管理部、１１２はイメージデータ管理手段、１１３は券面イメージ選択手段、１１３ａは操作キー、１１３ｂは決定キー、１１４は表示部、１１６は操作キーである。
【００１０】
はじめに、本発明の認証方法の実施の形態の第１例を説明する。
第１の例の認証方法は、光学的読み取りにより外観識別を行うタイプの、可視情報を有する所定の複数のＩＤカード、いずれも会員証で、各々の、券面のイメージによる認証を、表示部を搭載した１つの携帯端末機器にて行う認証方法である。
尚、ここでは話を分かり易くするため、複数のＩＤカードを３枚としているが、この枚数に限定はされない。
ここで、第１の例の説明に先立ち、本例の認証方法に用いられる携帯端末機器の基本処理、基本構成等を予め簡単に説明しておく。
先ず、第１の例の認証方法に用いられる携帯端末機器の基本処理を図２に基づいて簡単に説明する。
はじめに、対象とする複数のＩＤカードの券面のイメージデータを、外部から無線の通信手段により送信して、所定の記憶手段に格納して（図２のＳ４１）、これをイメージデータ記憶手段とする。（図２のＳ４３）
あるいは、対象とするＩＤカードの券面のイメージデータを内蔵した記憶手段を有する半導体チップ自体を搭載し（図２のＳ４２）、前記イメージデータを内蔵した半導体チップの記憶手段をイメージデータ記憶手段とする。（図２のＳ４３）
そして、イメージデータ記憶手段から所望のイメージデータを選択して用い、表示部に表示イメージとして表示する。（図２のＳ４４）
次いで、表示された表示イメージを用いて認証を目視により検証する目視認証し、あるいは、表示された表示イメージを光学的イメージ読み取り装置にて読み取り、基本となる正規のイメージデータと比較して検証する装置認証を行い、あるいは前記両方の認証を行い、これを以って、前記表示されたイメージに対応するＩＤカードの券面のイメージによる認証に代える。（図２のＳ４５）
【００１１】
次に、第１の例の認証方法に用いられる携帯端末機器の基本構成等を図３に基づいて簡単に説明しておく。
図３（ａ）に示すように、第１の例に用いられる携帯端末機器１１０は、所定の複数のＩＤカードの券面のイメージデータを格納するイメージデータ記憶手段１１１と、前記券面のイメージデータを用いてそのイメージを表示させるための表示部１１４と、所望の券面のイメージデータを選択し、選択されたイメージデータを用いて表示部に表示イメージとして表示させる券面イメージ選択手段１１３と、前記券面のイメージデータの登録、登録抹消等、イメージデータを管理するイメージデータ管理手段１１２とを備えており、例えば、図３（ｂ）に示すように、表示部１１４と、券面イメージ選択部１１３の操作キー１１３ａ、決定キー１１３ｂを一面に持つものが挙げられる。
表示部１１４は、図５（ａ）に示すような、図柄やマーク、文字情報からなるＩＤカードの券面のイメージ、図５（ｂ）に示すような、写真や文字情報を有するＩＤカードの券面のイメージ、図５（ｃ）に示すような、バーコードや文字情報を有するＩＤカードの券面のイメージ、図５（ｄ）に示すような、バーコードやエリアコード、文字情報を有するＩＤカードの券面のイメージを、それらのイメージデータを用いて表示する。
イメージデータ記憶手段１１１に記憶されているイメージデータの管理は、イメージデータ管理手段１１２により、例えば、図４に示すような表示形態の管理表にて管理されている。
図３（ｂ）の操作キー１１６は必要に応じ、イメージデータ管理手段の操作のためのキーとして用いる。
図４では、対象とするＩＤカード４つが全て会員証である場合で、ＩＤカードのイメージ名に対応し、そのレコード番号がそれぞれ付され、それぞれ、カードの有効性、カードの有効期限が管理されている。
そして、本例では、図４に示す管理表に基づき、図３（ｂ）の券面イメージ選択部１１３の操作キー１１３ａを矢印向きの方向を該管理表の方向と対応させて操作し、表示したいイメージを選択し、決定キー１１３ｂを操作することにより、選択されたイメージ名に対応したレコード番号のイメージデータがイメージデータ記憶手段１１１から選択され、これによる表示が行われる。
【００１２】
それでは、前述の説明をふまえて、第１の例の認証方法（処理ステップＳ１１〜Ｓ２３）を図１に基づいて説明する。
第１の例は、ＩＤカード発行元Ａ１がＩＤカードＡを発行し、ＩＤカード発行元Ｂ１がＩＤカードＢを発行し、ＩＤカード発行元Ｃ１がＩＤカードＣを発行し、それぞれの券面のイメージデータがＡ１１、Ｂ１１、Ｃ１１であるとする。（Ｓ１１〜Ｓ１３）
尚、ここではあらかじめ、各発行元が、このような認証方法を行うことを了解していることを前提とする。
各発行元の了解の下に、各イメージデータＡ１１、Ｂ１１、Ｃ１１を１つの記録媒体としての半導体チップに書き込み、これと、認証用の携帯端末機器（図３の１１０に相当）とを対とし、書き込みが済んだ半導体チップ（Ｓ１４）を搭載した認証用の携帯端末機器が利用者にＩＤカード発行元側から貸与される。（Ｓ１５）
一方、予め、インターネット等のネットワーク上に各イメージデータＡ１１、Ｂ１１、Ｃ１１を保管するイメージデータ保管データベースを設けておく。（Ｓ１９）
尚、本例では、ネットワーク上に、前述のイメージデータ保管データベースを用いて、認証を行うサーバーを設けている。
【００１３】
利用者は先に述べたように携帯端末機器（図３の１１０）の、イメージデータ管理手段１１２の管理表（図４参照）や券面イメージ選択手段１１３を用いて、所望の券面のイメージを表示部１１４に表示させる。（Ｓ１６）
次いで、認証確認者側は、光学的読み取り装置で表示イメージを読み取り（Ｓ１７）、読み取りイメージデータを得る。（Ｓ１８）
認証確認者側が、得られた読み取りデータをネットワーク上の、認証処理サーバーに送ると、該認証処理サーバーは、イメージデータ保管のデーターベースから、読み取りイメージデータに対応する基本イメージデータを取り出し（Ｓ２０）、両者を比較して検証する。（Ｓ２１）
そして、認証処理サーバーは、検証結果がＯＫの場合は認証ＯＫとし、検証結果がＯＵＴの場合は認証ＯＵＴとし、認証確認者側に通知する。
認証確認者側は、結果に対応して、正規の会員であるか否かを判断し、また、この結果を利用者側に知らせる。
【００１４】
第１の例の認証方法を行うための装置構成（システム）としては、即ち、目視や光学的読み取りにより外観識別を行うタイプの、可視情報を有する所定の複数のＩＤカード、各々の、券面のイメージによる認証を、表示部を搭載した１つの携帯端末機器にて行う認証システムとしては、上述のように、前記所定の複数のＩＤカードの券面のイメージデータを格納するイメージデータ記憶手段（図３の１１１）と、前記券面のイメージデータを用いてそのイメージを表示させるための表示部（図３の１１４）と、所望の券面のイメージデータを選択し、選択されたイメージデータを用いて表示部に表示イメージとして表示させる券面イメージ選択手段（図３の１１３）と、前記券面のイメージデータの登録、登録抹消等、イメージデータを管理するイメージデータ管理手段（図３の１１２）とを備えた携帯端末機器（図３の１１０）と、ネットワークに接続した光学的読み取り装置と、該ネットワーク上の、イメージデータ保管データベースと認証処理サーバーが、必要である。  尚、図１の点線部内がネットワーク上でのもの、あるいは処理ステップである。
【００１５】
次いで、本発明の認証方法の第２の例（処理ステップＳ１１〜Ｓ１６とＳ３０〜Ｓ３２）を、図１に基づいて簡単に説明する。
第２の例も第１の例と同じ対象を認証するもので、第１の例と同様、処理ステップＳ１１〜Ｓ１６とを行う。
そして、処理ステップＳ１６により得られた表示イメージを、そのまま目視認証用のイメージとして用い、認証確認者側が、目視により、表示イメージが適正であるか判断して認証の可否を判断するものである。（Ｓ３０〜Ｓ３２）
第２の例の場合は、第１の例の、Ｓ１７、Ｓ１８、Ｓ１９〜Ｓ２４の処理ステップを行わないものである。
【００１６】
第２の例の認証方法を行うための装置構成（システム）としては、即ち、目視や光学的読み取りにより外観識別を行うタイプの、可視情報を有する所定の複数のＩＤカード、各々の、券面のイメージによる認証を、表示部を搭載した１つの携帯端末機器にて行う認証システムとしては、上述のように、前記所定の複数のＩＤカードの券面のイメージデータを格納するイメージデータ記憶手段（図３の１１１）と、前記券面のイメージデータを用いてそのイメージを表示させるための表示部（図３の１１４）と、所望の券面のイメージデータを選択し、選択されたイメージデータを用いて表示部に表示イメージとして表示させる券面イメージ選択手段（図３の１１３）と、前記券面のイメージデータの登録、登録抹消等、イメージデータを管理するイメージデータ管理手段（図３の１１２）とを備えた携帯端末機器（図３の１１０）があれば良い。
【００１７】
本発明の別の形態としては、上記第１の例の装置認証と、第２の例の目視認証とを、両方とも行う形態のものも挙げられる。
【図面の簡単な説明】
【００１８】
【図１】本発明の認方法の実施の形態の第１の例の処理フローと第２の例の処理フローとを示した概略フロー図である。
【図２】本発明の認証方法に用いられる携帯端末機器の基本処理フロー図である。
【図３】図３（ａ）は認証用の携帯端末機器の基本構成図で、図３（ｂ）は認証用の携帯端末機器の１例の表示部と、券面イメージ選択部の操作キー、決定キー等を含む外観平面図である。
【図４】イメージデータ管理手段における管理用のレコード一覧表（管理表とも言う）を示した図である。
【図５】図５（ａ）〜図５（ｄ）はＩＤカードの券面のイメージを示した図である。
【符号の説明】
【００１９】
１１０                携帯端末機器
１１１                イメージデータ管理部
１１２                イメージデータ管理手段
１１３                券面イメージ選択手段
１１３ａ              操作キー
１１３ｂ              決定キー
１１４                表示部
１１６                操作キー
【図１】
2005266870.tif 000003
【図２】
2005266870.tif 000004
【図３】
2005266870.tif 000005
【図４】
2005266870.tif 000006
【図５】
2005266870.tif 000007